(57)【要約】【課題】蓄電池の直流端子電圧を測定することなく、電気自動車、バックアップ電源システム等に既に組み込まれている場合であっても、蓄電池の劣化度を判定する。【解決手段】実施形態の電力量計は、蓄電池を有する外部の蓄電池ユニットに対して外部の電源から供給される電力量を測定し、蓄電池ユニットに供給される電力量の増加が飽和状態に至ったか否かを判別する。そして、飽和状態に至るまでに蓄電池ユニットに供給された充電電力量を算出する。【選択図】図１
2013117483.tif 000002
【特許請求の範囲】
【請求項１】
蓄電池を有する外部の蓄電池ユニットに対して外部の電源から供給される電力量を測定する電力量測定手段と、
前記蓄電池ユニットに供給される前記電力量の増加が飽和状態に至ったか否かを判別する電力量増加飽和判定手段と、
前記飽和状態に至るまでに前記蓄電池ユニットに供給された充電電力量を算出する充電電力量算出手段と、
を備えた電力量計。
【請求項２】
前記充電電力量算出手段は、前記電力量測定手段の前記電力量の測定結果に基づいて、前記蓄電池が放電終止電圧状態から前記飽和状態に至るまでの電力量を、前記充電電力量として算出する、
請求項１記載の電力量計。
【請求項３】
オペレータが充電開始を指示する充電開始指示手段を備え、
前記電力量測定手段は、前記充電開始指示手段を介して充電開始が指示された以降に前記蓄電池ユニットに供給された電力量を測定する、
請求項１または請求項２記載の電力量計。
【請求項４】
前記算出した充電電力量を外部の管理サーバに通知する通知手段を備えた請求項１乃至請求項３のいずれに記載の電力量計。
【請求項５】
前記充電電力量に基づいて前記蓄電池の劣化状態を判別する劣化状態判別手段と、
前記判別された前記蓄電池の劣化状態を告知する劣化状態告知手段と、
を備えた請求項１乃至請求項３のいずれかに記載の電力量計。
【請求項６】
前記劣化状態判別手段は、劣化していない蓄電池が放電終止電圧状態から前記飽和状態に至るまでに蓄電することが可能な充電電力量を基準充電電力量とした場合に、前記蓄電池の劣化状態に相当する蓄電池劣化度を、次式により算出する請求項５記載の電力量計。
蓄電池劣化度＝(基準充電電力量−充電電力量)／基準充電電力量
【請求項７】
蓄電池と、
前記蓄電池の前段に設けられ、交流電力を直流電力に変換する電力変換装置と、
前記電力変換装置に対して外部の電源から供給される電力量を測定し、当該電力変換装置への電力の供給開始から前記電力量の増加が飽和状態に至るまで前記蓄電池ユニットに供給された充電電力量を算出し、通信ネットワークを介して通知する電力計と、
を備えた蓄電池ユニット。
【請求項８】
蓄電池を有する蓄電池ユニットと、
前記蓄電池ユニットに対して外部の電源から供給される電力量を測定し、前記蓄電池ユニットへの電力の供給開始から前記電力量の増加が飽和状態に至るまで前記蓄電池ユニットに供給された充電電力量を算出し、通信ネットワークを介して通知する電力計と、
通知された前記充電電力量に基づいて前記蓄電池の劣化状態を判別する劣化状態判別手段を備えた管理サーバ装置と、
を備えた蓄電池劣化判別システム。
【請求項９】
前記劣化状態判別手段は、劣化していない蓄電池が放電終止電圧状態から前記飽和状態に至るまでに蓄電することが可能な充電電力量を基準充電電力量とした場合に、前記蓄電池の劣化状態に相当する蓄電池劣化度を、次式により算出する請求項５記載の電力計。
蓄電池劣化度＝(基準充電電力量−充電電力量)／基準充電電力量
【請求項１０】
前記蓄電池ユニットは、前記蓄電池の前段に交流電力を直流電力に変換する電力変換手段を備えている、
請求項７記載の蓄電池劣化判別システム。
【請求項１１】
蓄電池を有する外部の蓄電池ユニットに対して外部の電源から供給される電力量を測定する電力量計において実行される制御方法であって、
蓄電池を有する外部の蓄電池ユニットに対して外部の電源から供給される電力量を測定する電力量測定過程と、
前記蓄電池ユニットに供給される前記電力量の増加が飽和状態に至ったか否かを判別する電力量増加飽和判定過程と、
前記飽和状態に至るまでに前記蓄電池ユニットに供給された充電電力量を算出する充電電力量算出過程と、
を備えた電力量計の制御方法。
【請求項１２】
蓄電池を有する外部の蓄電池ユニットに対して外部の電源から供給される電力量を測定する電力量計をコンピュータにより制御するための制御プログラムであって、
前記コンピュータに実行させる、
蓄電池を有する外部の蓄電池ユニットに対して外部の電源から供給される電力量を測定する電力量測定ステップと、
前記蓄電池ユニットに供給される前記電力量の増加が飽和状態に至ったか否かを判別する電力量増加飽和判定ステップと、
前記飽和状態に至るまでに前記蓄電池ユニットに供給された充電電力量を算出する充電電力量算出ステップと、
を備えた制御プログラム。
【発明の詳細な説明】
【技術分野】
【０００１】
本発明の実施形態は、電力量計、蓄電池ユニット、蓄電池劣化度判定システム、電力量計の制御方法及び制御プログラムに関する。
【背景技術】
【０００２】
従来、蓄電池は電気自動車等に使われているが、この蓄電池自体の劣化度を判定する技術は多数提案されている。例えば特許文献１〜４には、蓄電池単体の劣化度を判定する技術が提案されている。
【先行技術文献】
【特許文献】
【０００３】
【特許文献１】特開２０１０−４８６５６号公報
【特許文献２】特開２０１０−２７２３６５号公報
【特許文献３】特開２０１１−３８８７８号公報
【特許文献４】特開２０１１−５４４１３号公報
【発明の概要】
【発明が解決しようとする課題】
【０００４】
しかしながら、上記従来技術は、蓄電池の端子電圧を測定する必要があり、電気自動車や、バックアップ電源システムに組み込まれている蓄電池の劣化度を測定することは困難であった。
特に商用電源（交流１００Ｖまたは交流２００Ｖ）のコンセントに接続して充電を行う場合等に蓄電池の端子電圧を測定することは困難であり、蓄電池の劣化度判定機能を持たない電気自動車等の蓄電池の劣化度を電気自動車やそれに搭載する蓄電池に手を加えることなく知ることはできなかった。
本発明は、上記に鑑みてなされたものであって、蓄電池の直流端子電圧を測定することなく、電気自動車、バックアップ電源システム等に既に組み込まれている場合であっても、蓄電池の劣化度を判定することが可能な電力量計、蓄電池ユニット、蓄電池劣化度判定システム、電力量計の制御方法及び制御プログラムを提供することを目的とする。
【課題を解決するための手段】
【０００５】
実施形態の電力量計の電力量測定手段は、蓄電池を有する外部の蓄電池ユニットに対して外部の電源から供給される電力量を測定する。
これにより、電力量増加飽和判定手段は、蓄電池ユニットに供給される前記電力量の増加が飽和状態に至ったか否かを判別する。
そして、充電電力量算出手段は、飽和状態に至るまでに蓄電池ユニットに供給された充電電力量を算出する。
【図面の簡単な説明】
【０００６】
【図１】図１は、第１実施形態の蓄電池劣化管理システムの概要構成ブロック図である。
【図２】図２は、電力量計の概要構成ブロック図である。
【図３】図３は、実施形態の処理フローチャートである。
【図４】図４は、蓄電池ユニットに供給された電力量の時間的変化の説明図である。
【図５】図５は、充電電力量と蓄電池劣化度との関係の説明図である。
【図６】図６は、残電力量がある場合の蓄電池ユニットに供給された電力量の時間的変化の説明図である。
【図７】図７は、第１実施形態の第２変形例の電力量計の概要構成ブロック図である。
【図８】図８は、第１実施形態の第３変形例の電力量計の概要構成ブロック図である。
【図９】図９は、第２実施形態の蓄電池劣化管理システムの概要構成ブロック図である。
【図１０】図１０は、電力量計及びＩＤ読取ユニットの概要構成ブロック図である。
【図１１】図１１は、管理データベースにおけるデータフォーマットの一例の説明図である。
【図１２】図１２は、第３実施形態の蓄電池劣化管理システムの概要構成ブロック図である。
【発明を実施するための形態】
【０００７】
次に実施形態について図面を参照して説明する。
［１］第１実施形態
図１は、第１実施形態の蓄電池劣化管理システムの概要構成ブロック図である。
蓄電池劣化管理システム１０は、商用電源１１に接続されて供給電力量を測定する電力量計１２と、電力量計１２に電力供給端子としてのコンセント１３を介して、着脱可能に接続される蓄電池ユニット１４と、電力量計１２に通信ネットワーク１５を介して通信可能に接続された管理サーバ１６と、管理サーバ１６の管理下に置かれる管理データベース（ＤＢ）１７と、を備えている。
【０００８】
まず、電力量計１２の構成について説明する。
図２は、電力量計の概要構成ブロック図である。
電力量計１２は、商用電源１１に接続され、供給される交流電流量に基づいて電力量を測定する電力量測定部２１と、ユーザが充電開始を指示するための充電開始スイッチ２２と、充電開始スイッチ２２の操作に連動して、コンセント１３に商用電源１１からの電力を供給する電力供給リレー２３と、電力量測定部２１の電力量測定結果信号に基づいて蓄電池ユニット１４に供給された電力量の増加状態を監視し、電力量増加が飽和状態に至ったか否かを判定する電力量増加飽和判定部２４と、充電開始スイッチ２２の操作開始タイミングから電力量増加飽和判定部２４により電力量増加が飽和状態に至ったタイミングまでの充電電力量を測定する充電電力量測定部２５と、通信ネットワーク１５との間のインタフェース動作を行う通信インタフェース部２６と、電力量計１２全体を制御するとともに、充電電力量測定部２５の測定結果である充電電力量を含む各種情報を通信インタフェース部２６を介して管理サーバ１６に通知するコントローラ２７と、を備えている。
【０００９】
次に蓄電池ユニット１４の構成について説明する。
蓄電池ユニット１４は、例えば、電気自動車のモータに駆動用電源を供給するために車載バッテリユニットや、非常用電源としてのバックアップ電源装置として構成されている。
蓄電池ユニット１４は、図１に示すように、商用電源１１から供給される交流電力のＡＣ／ＤＣ変換を行って出力するコンバータ３１と、コンバータ３１が出力した直流電力により充電される蓄電池３２と、を備えている。
ここで、蓄電池３２は、複数の蓄電セルが直列あるいは並列に接続されて所望の出力電圧及び出力電流を得られるように構成されている。
また、電力量増加飽和判定部２４は、充電開始スイッチ２２が奏された状態で次式が成立した場合には、充電電力量の増加が飽和状態に至ったと判定している。
(現時点の充電電力量［kWh］)−(ｔ秒前の充電電力量［kWh］)＜Ｋ［kWh］
ここで、ｔ、Ｋは、蓄電池３２の充電特性を考慮した所定の定数である。
【００１０】
次に第１実施形態の動作を説明する。
図３は、実施形態の処理フローチャートである。
まず、コントローラ２７は、オペレータにより充電開始スイッチ２２が操作され、充電が開始されたか否かを判別する（ステップＳ１１）。
この場合において、充電開始スイッチ２２が操作されると、この操作に連動して電力供給リレーが閉状態（オン状態）となり、商用電源１１→電力量計１２→蓄電池ユニット１４の順番で交流電力（商用交流電力）が供給されるようになっている。
【００１１】
これにより蓄電池ユニット１４のコンバータ３１は、供給される交流電力を直流電力に変換して、蓄電池３２を充電する。これと並行して、電力量計１２のコントローラ２７は、充電開始スイッチ２２の操作を検出して、電力量測定部２１に、供給される交流電流量に基づく電力量の測定及び積算を行わせる（ステップＳ１２）。
電力量測定部２１は、測定した電力量を単位時間毎に電力量測定データＤmesとして電力量増加飽和判定部２４及び充電電力量測定部２５に出力する。
【００１２】
電力量増加飽和判定部２４は、入力された電力量測定結果信号に基づいて蓄電池ユニット１４に供給された電力量の増加状態を監視し、電力量増加が飽和状態に至ったか否かを判定する（ステップＳ１３）。
より詳細には、現時点の電力量をＰNOWとし、単位時間ｔ前の電力量をＰPREとした場合に、これらの差が所定の閾値Ｋ未満となったならば、飽和状態となったと判定する。
すなわち、
ＰNOW−ＰPRE＜Ｋ
となった場合には、電力量増加量が飽和状態となったと判定する。
【００１３】
ステップＳ１３の判定において、電力量増加飽和判定部２４は、単位時間ｔ当たりの電力量増加量が所定の閾値Ｋ以上である場合には（ステップＳ１３；Ｎｏ）、未だ電力量増加量が飽和状態となっていないので、処理を再びステップＳ１２に移行し、蓄電池３２の充電及び充電電力量の測定を継続する。
【００１４】
ステップＳ１３の判定において、電力量増加飽和判定部２４は、単位時間ｔ当たりの電力量増加量が所定の閾値Ｋよりも小さくなった場合には、電力量増加が飽和状態に至ったと判定し（ステップＳ１３；Ｙｅｓ）、飽和状態判定データＤsatを充電電力量測定部２５に出力する。
【００１５】
図４は、蓄電池ユニットに供給された充電電力量の時間的変化の説明図である。
ここで、蓄電池ユニット１４の蓄電池３２の電圧は、初期状態において、放電終止電圧ＶDEであったものとする。すなわち、通常使用状態において蓄電池３２が空の状態にあったものとする。
図４に示すように、商用電源１１から電力量計１２を介して蓄電池ユニット１４に供給された充電電力量は、充電を開始した時刻ｔ１から徐々に増加するが、時刻ｔ２に至ると、横這い状態となる。
【００１６】
すなわち、蓄電池３２が当該時点における蓄電池の劣化状態を反映した最大蓄電容量まで充電された状態となる。
したがって、電力量増加飽和判定部２４は、充電電力量が横這い状態となった時刻ｔ２に至った時点で、電力量増加が飽和状態に至ったと判定して飽和状態判定データＤsatを充電電力量測定部２５に出力する。
【００１７】
この結果、充電電力量測定部２５は、充電開始スイッチ２２の操作開始タイミングから電力量増加飽和判定部２４により電力量増加が飽和状態に至った時刻ｔ２のタイミングまでの充電電力量ＰＣを算出し、算出結果を充電電力量データＤCHGとしてコントローラ２７に出力する（ステップＳ１４）。
この結果、コントローラ２７は、充電電力量測定部２５の測定結果である充電電力量に対応する充電電力量データＤCHGを含む各種情報を通信インタフェース部２６を介して管理サーバ１６に通知する（ステップＳ１５）。
【００１８】
図５は、充電電力量と蓄電池劣化度との関係の説明図である。
管理サーバ１６は、通知された充電電力量データＤCHGに対応する充電電力量ＰCHGと、を予め記憶している基準充電電力量ＰREFと、に基づいて次式（１）により蓄電池劣化度ＶDECを算出する（ステップＳ１６）。
ＶDEC＝（ＰREF−ＰCHG）／ＰREF                          …（１）
そして、管理サーバ１６は、図５に示すように、算出した蓄電池劣化度ＶDECが予め記憶しておいた劣化判定充電電力量閾値ＰTHに対応する劣化度判定閾値電圧ＶTHを超えているか否かを判別する（ステップＳ１７）。
【００１９】
ステップＳ１７の判別において、管理サーバ１６は、蓄電池劣化度ＶDECが劣化判定充電電力量閾値ＰTHに対応する劣化度判定閾値電圧ＶTH以上である場合には（ステップＳ１７；Ｙｅｓ）、十分な充電が行えない劣化状態にあると判定し、その旨を管理者に通知する（ステップＳ１８）。これにより管理者は、通知の対象となった蓄電池３２を交換し、あるいは、リフレッシュ動作、バッテリ補充液の補充等のメンテナンスを行うこととなる。
【００２０】
ステップＳ１７の判別において、管理サーバ１６は、蓄電池劣化度ＶDECが劣化判定充電電力量閾値ＰTHに対応する劣化度判定閾値電圧ＶTH未満である場合には（ステップＳ１７；Ｎｏ）、蓄電池３２は、未だ劣化状態に至っていないとして、再び処理をステップＳ１６に移行して待機状態となる。
【００２１】
［１．１］第１実施形態の第１変形例
以上の説明は、蓄電池３２の電圧が初期状態において、放電終止電圧ＶDEであった場合、すなわち、通常使用状態において蓄電池３２が空の状態にあった場合のものであったが、充電開始時における蓄電池３２の残電力量（残容量）が分かっている場合には蓄電池３２の電圧が初期状態において、放電終止電圧ＶDE以上である場合であっても、蓄電池３２の電圧が初期状態において、放電終止電圧ＶDEであった場合に換算して上述した充電電力量ＰＣに相当する推定充電電力量ＰＣＰを算出することが可能となる。
【００２２】
図６は、残電力量がある場合の蓄電池ユニットに供給された充電電力量の時間的変化の説明図である。
ここで、蓄電池３２の残電力量（残容量）Ｐrestは、蓄電池３２への充電電力量及び放電電力をそれぞれ測定してそれぞれ積分して、それらの差分を求めればよい。この場合において、充電−放電サイクルを繰り返すことによる蓄電池３２の劣化や、蓄電池３２の温度変化を考慮する必要がある。より詳細には、充電回数（充放電回数）をカウントして、蓄電池３２の満充電時の容量を減少させ、蓄電池３２の温度を測定して、低温側において満充電時の容量を減少させて、蓄電池３２の残電力量を算出することとなる。
【００２３】
そして、上述した手順により求めた充電電力量ＰＣを充電開始前の残電力量Ｐrestに加算することにより推定充電電力量ＰＣPRを求め、この推定充電電力量ＰＣPRを劣化判定充電電力量閾値ＰTHに対応する劣化度判定閾値電圧ＶTHと比較することにより劣化状態にあるか否かを判別すれば、上記第１実施形態と同様に蓄電池３２の劣化状態を確実に判定することができる。
【００２４】
［１．２］第１実施形態の第２変形例
図７は、第１実施形態の第２変形例の電力量計の概要構成ブロック図である。
以上の第１実施形態の説明においては、充電電力量測定部２５は、充電開始スイッチ２２が操作されたタイミング、すなわち、電力供給リレー２３が閉状態（ＯＮ状態）となったタイミングで蓄電池ユニット１４に充電電力が供給を開始したものとして測定を行っていたが、充電開始スイッチ２２が操作されたタイミングで、充電電力量測定部２５が充電電力の測定を開始するとともに、充電開始スイッチ２２の操作後に蓄電池ユニット１４をコンセント１３に接続するようにすれば、図７に示すように、電力供給リレー２３を設けることなく、電力量計１２Ａを構成することができる。
【００２５】
本第２変形例によれば、電力供給リレー２３を設ける必要が無いので、装置構成を簡略化することができるとともに、電力量計１２Ａの製造コストを低減することが可能となる。
なお、以上の説明では、充電電力量の測定を正確に行うため、充電開始スイッチ２２の操作後に蓄電池ユニット１４をコンセント１３に接続する旨説明したが、多少充電電力量の正確性が低下するが、蓄電池ユニット１４をコンセント１３に接続後に充電開始スイッチ２２を操作することも可能である。
【００２６】
［１．３］第１実施形態の第３変形例
図８は、第１実施形態の第３変形例の電力量計の概要構成ブロック図である。
以上の第１実施形態の説明においては、充電電力量測定部２５は、充電開始スイッチ２２が操作されたタイミング、すなわち、電力供給リレー２３が閉状態（ＯＮ状態）となったタイミングで蓄電池ユニット１４に充電電力が供給を開始したものとして測定を行っていたが、充電開始スイッチ２２及び電力供給リレー２３に代えて、電流センサ２８および電流検出部２９を設け、電流の増加を検出したことをトリガとして、充電電力量測定部２５で測定を開始させることができ、蓄電池ユニット１４をコンセント１３に接続するだけで、正確な充電電力量を測定することができる。なお、電流検出部２９に代えて、あるいは、加えて電圧検出部を設け、電圧の増加を検出したことをトリガとして、充電電力量測定部２５に測定を開始させるようにすることも可能である。
本第３変形例によれば、ユーザの手間を低減して、より確実に充電電力量を測定して、蓄電池の劣化状態を判別することができる。
【００２７】
［１．４］第１実施形態の効果
以上の説明のように、本第１実施形態によれば、蓄電池３２の直流端子電圧を直接測定することなく、コンセント１３に充電対象の蓄電池ユニット１４を接続して充電を行うだけで蓄電池の劣化状態を判別することが可能となる。
【００２８】
［２］第２実施形態
図９は、第２実施形態の蓄電池劣化管理システムの概要構成ブロック図である。
図９において、図１の第１実施形態と同様の部分には同一の符号を付し、その詳細な説明を援用する。
蓄電池劣化管理システム１０は、商用電源１１に接続されて供給電力量を測定する電力量計１２Ａと、電力量計１２Ａに電力供給端子としてのコンセント１３を介して、着脱可能に接続されるとともに、当該ユニットを識別するためのＩＤが格納されたＩＣタグ４４を備える蓄電池ユニット１４Ａと、電力量計１２Ａとコンセント１３との間に設けられて、ＩＣタグ４４から蓄電池ユニット１４を特定するためのＩＤを近距離無線通信により読み取り、電力量計１２Ａに通知するＩＤ読取ユニット４１と、電力量計１２Ａに通信ネットワーク１５を介して通信可能に接続された管理サーバ１６と、管理サーバ１６の管理下に置かれる管理データベース（ＤＢ）１７と、を備えている。
【００２９】
まず、電力量計１２Ａ及びＩＤ読取ユニット４１の構成について説明する。
図１０は、電力量計及びＩＤ読取ユニットの概要構成ブロック図である。
ＩＤ読取ユニット４１は、近距離無線通信によりＩＣタグ４４に格納されているＩＤを読み取るＲＦＩＤリーダ４２と、ＲＦＩＤリーダ４２により読み取った蓄電池ユニット１４を特定するためのＩＤを電力線を介して通信を行う電力通信により電力量計１２Ａに通知する電力通信インタフェース（ＩＦ）４３と、を備えている。
【００３０】
電力量計１２Ａは、商用電源１１に接続され、供給される交流電流量に基づいて電力量を測定する電力量測定部２１と、ユーザが充電開始を指示するための充電開始スイッチ２２と、充電開始スイッチ２２の操作に連動して、コンセント１３に商用電源１１からの電力を供給する電力供給リレー２３と、電力量測定部２１の電力量測定結果信号に基づいて蓄電池ユニット１４に供給された電力量の増加状態を監視し、電力量増加が飽和状態に至ったか否かを判定する電力量増加飽和判定部２４と、を備えている。
【００３１】
さらに電力量計１２Ａは、充電開始スイッチ２２の操作開始タイミングから電力量増加飽和判定部２４により電力量増加が飽和状態に至ったタイミングまでの充電電力量を測定する充電電力量測定部２５と、通信ネットワーク１５との間のインタフェース動作を行う通信インタフェース部２６と、電力量計１２Ａ全体を制御するとともに、充電電力量測定部２５の測定結果である充電電力量を含む各種情報を通信インタフェース部２６を介して管理サーバ１６に通知するコントローラ２７と、蓄電池ユニット１４を特定するためのＩＤを電力線を介して通信を行う電力通信によりＩＤ読取ユニット４１から受信して、コントローラ２７に通知するための電力通信インタフェース（ＩＦ）５１と、を備えている。
【００３２】
本第２実施形態においては、各蓄電池ユニット１４ＡをＩＤで識別可能となっているため、管理サーバ１６においては、各蓄電池ユニット１４Ａを識別して管理している。
図１１は、管理データベースにおけるデータフォーマットの一例の説明図である。
管理データベース１７は、各蓄電池ユニット１４Ａを識別するためのＩＤが格納されたＩＤデータ６１と、ＩＤデータ６１に対応する蓄電池ユニット１４Ａの充電回数が格納された充電回数データ６２と、ＩＤデータ６１に対応する蓄電池ユニット１４Ａの充電履歴が格納された充電履歴データ６３と、ＩＤデータ６１に対応する蓄電池ユニット１４Ａの現在の劣化状態を示す現劣化状態データ６４と、を備えている。
【００３３】
充電履歴データ６３は、ｎ個の充電履歴データ６５−１〜６５−ｎを格納することが可能となっている。
各充電履歴データ６５−１〜６５−ｎは、同一構成を採っており、充電日時を格納した充電日時データ６６と、急速充電あるいは通常充電等の充電種別を表す充電種別データ６７と、充電日時データ６６に対応する充電において測定された充電開始から充電電力量増加が飽和状態となるまでの充電電力量を格納する充電電力量データ６８と、充電電力量データ６８に対応する蓄電池ユニット１４Ａの劣化状態の判別結果が格納された劣化状態データ６９と、を備えている。
【００３４】
本第２実施形態においても、蓄電池劣化状態の判別処理は、第１実施形態と同様である。
本第２実施形態においては、同一のＩＤを有する蓄電池ユニット１４Ａが接続されて充電が行われる度に、蓄電池劣化状態の判別処理を行い、その結果を、充電履歴データ６５−１〜６５−ｎにそれぞれ格納する。すなわち、初めて蓄電池ユニット１４Ａがコンセント１３に接続されて第１回目の蓄電池劣化状態の判別処理が行われた後には、充電履歴データ６５−１に蓄電池劣化状態の判別結果を格納する。同様に、蓄電池ユニット１４Ａが第２回目にコンセント１３に接続されて第２回目の蓄電池劣化状態の判別処理がなされた後には、充電履歴データ６５−２に蓄電池劣化状態の判別結果を格納する。
【００３５】
すなわち、蓄電池ユニット１４Ａが第ｎ回目にコンセント１３に接続されて第ｎ回目の蓄電池劣化状態の判別処理がなされた後には、充電履歴データ６５−ｎに蓄電池劣化状態の判別結果を格納することとなる。そして、充電回数データ６２＝ｎとされ、充電履歴データ６５−ｎに対応する劣化状態データ６９と同一の内容で、現劣化状態データ６４が更新される。
【００３６】
本第２実施形態によれば、第１実施形態の効果に加えて、同一の電力量計１２Ａに対応するコンセント１３に対して、同一種類あるいは複数種類の蓄電池ユニット１４Ａを接続して充電を行うような場合でもそれぞれの蓄電池ユニット１４Ａを識別して、蓄電池の劣化状態を管理サーバ１６で管理することが可能となる。
【００３７】
［３］第３実施形態
以上の各実施形態は、蓄電池ユニットとは別体の電力量計を用いるものであったが、本第３実施形態は蓄電池ユニットに電力計を内蔵し、蓄電池ユニット単体で蓄電池の劣化状態を把握することができる実施形態である。
【００３８】
図１２は、第３実施形態の蓄電池劣化管理システムの概要構成ブロック図である。
蓄電池劣化管理システム１０Ｂは、電力供給端子としてのコンセント１３に着脱可能に接続されて商用電源１１に接続された蓄電池ユニット１４Ｂを備えている。
蓄電池ユニット１４Ｂは、コンセント１３を介して商用電源１１に接続されて供給電力量を測定する電力量計１２Ｂと、蓄電池ユニット１４Ｂ全体を制御するとともに、電力量計１２Ｂの測定結果である充電電力量、蓄電池の劣化状態を含む各種情報をディスプレイ７２に表示するコントローラ７１と、商用電源１１から供給される交流電力のＡＣ／ＤＣ変換を行って出力するコンバータ３１と、コンバータ３１が出力した直流電力により充電される蓄電池３２と、を備えている。
【００３９】
本第３実施形態の蓄電池ユニット１４Ｂは、単体で、蓄電池３２の劣化状態を判別して、ディスプレイ７２に表示することができ、スタンドアロンで蓄電池ユニット１４Ｂのユーザが蓄電池３２の劣化状態を容易に判別することができる。
この場合において、コントローラ７１は、蓄電池３２の劣化状態を通知する場合に、その対処方法が存在する場合には、それらの情報もディスプレイ７２に表示することで、より使い勝手が向上する。
【００４０】
［４］実施形態の変形例
以上の説明においては、蓄電池ユニットを構成するコンバータにおいては、電力を消費しないものとして蓄電池の充電電力量を算出していたが、コンバータの損失電力を電力量計において考慮し、当該損失電力を充電電力量あるいは推定充電電力量から減算することにより、より正確に蓄電池の充電電力量を算出するように構成することも可能である。
【００４１】
本実施形態の電力量計、蓄電池ユニットあるいは管理サーバで実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００４２】
また、本実施形態の電力量計、蓄電池ユニットあるいは管理サーバで実行される制御プログラムを、インターネット等のネットワークに接続されたコンピュータ上に格納し、ネットワーク経由でダウンロードさせることにより提供するように構成しても良い。また、本実施形態の電力量計、蓄電池ユニットあるいは管理サーバで実行される制御プログラムをインターネット等のネットワーク経由で提供または配布するように構成しても良い。
【００４３】
また、本実施形態の電力量計、蓄電池ユニットあるいは管理サーバの制御プログラムを、ＲＯＭ等に予め組み込んで提供するように構成してもよい。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１０、１０Ａ、１０Ｂ  蓄電池劣化管理システム
１１    商用電源
１２、１２Ａ、１２Ｂ  電力量計
１３    コンセント
１４、１４Ａ、１４Ｂ  蓄電池ユニット
１５    通信ネットワーク
１６    管理サーバ
１７    管理データベース
２１    電力量測定部
２２    充電開始スイッチ
２３    電力供給リレー
２４    電力量増加飽和判定部
２５    充電電力量測定部
２６    通信インタフェース部
２７    コントローラ
３１    コンバータ
３２    蓄電池
４１    ＩＤ読取ユニット
４２    ＲＦＩＤリーダ
４４    ＩＣタグ
６１    ＩＤデータ
６２    充電回数データ
６３    充電履歴データ
６４    現劣化状態データ
６５    充電履歴データ
６６    充電日時データ
６７    充電種別データ
６８    充電電力量データ
６９    劣化状態データ
７１    コントローラ
７２    ディスプレイ
Ｄmes    電力量測定データ
Ｄsat    飽和状態判定データ
ＤCHG    充電電力量データ
Ｋ      閾値
ＰTH    劣化判定充電電力量閾値
ＶDEC    蓄電池劣化度
ＶDE    放電終止電圧
ＶTH    劣化度判定閾値電圧ＶTH
ｔ      単位時間
【図１】
2013117483.tif 000003
【図２】
2013117483.tif 000004
【図３】
2013117483.tif 000005
【図４】
2013117483.tif 000006
【図５】
2013117483.tif 000007
【図６】
2013117483.tif 000008
【図７】
2013117483.tif 000009
【図８】
2013117483.tif 000010
【図９】
2013117483.tif 000011
【図１０】
2013117483.tif 000012
【図１１】
2013117483.tif 000013
【図１２】
2013117483.tif 000014